(57)【要約】【課題】鏡の付加価値を向上させることができるとともに鏡の固定性を確保することができる鏡の固定構造および鏡の固定具を提供すること。【解決手段】鏡の固定構造２は、反射面が裏面の側に設けられた鏡３を裏面に対向する被固定面に固定する鏡の固定構造であって、裏面と交差する側面３７、３８に設けられた孔または溝３７１、３８１を有する鏡３と、裏面の反対側に形成された表面３６には掛からない状態で孔または溝３７１、３８１に係止される固定具４と、を備える。固定具４は、孔または溝３７１、３８１に係止される係止部４１と、側面３７、３８から被固定面に向かって延びるとともに側面３７、３８から鏡３の中央に向かって傾斜し、弾性を有するとともに係止部４１を支持する支持部４２と、を有する。【選択図】図１
2019122501.tif 000002
【特許請求の範囲】
【請求項１】
反射面が裏面の側に設けられた鏡を前記裏面に対向する被固定面に固定する鏡の固定構造であって、
前記裏面と交差する側面に設けられた孔または溝を有する鏡と、
前記裏面の反対側に形成された表面には掛からない状態で前記孔または前記溝に係止される固定具と、
を備え、
前記固定具は、
前記孔または前記溝に係止される係止部と、
前記側面から前記被固定面に向かって延びるとともに前記側面から前記鏡の中央に向かって傾斜し、弾性を有するとともに前記係止部を支持する支持部と、
を有することを特徴とする鏡の固定構造。
【請求項２】
前記鏡が前記被固定面に固定された状態において、前記側面は、互いに対向する前記鏡の両側の端面であることを特徴とする請求項１に記載の鏡の固定構造。
【請求項３】
前記固定具は、前記支持部からみて前記中央の側に設けられ前記裏面から前記表面に向かって前記鏡を押圧する押圧部をさらに有することを特徴とする請求項１または２に記載の鏡の固定構造。
【請求項４】
前記押圧部の押圧力は、前記支持部の復元力よりも強いことを特徴とする請求項３に記載の鏡の固定構造。
【請求項５】
反射面が裏面の側に設けられた鏡を前記裏面に対向する被固定面に固定する鏡の固定具であって、
前記裏面の反対側に形成された表面には掛からない状態で、前記裏面と交差する側面に設けられた孔または溝に係止される係止部と、
前記側面から前記被固定面に向かって延びるとともに前記側面から前記鏡の中央に向かって傾斜し、弾性を有するとともに前記係止部を支持する支持部と、
を備えたことを特徴とする鏡の固定具。
【発明の詳細な説明】
【技術分野】
【０００１】
本発明は、被固定面に鏡を固定する鏡の固定構造および鏡の固定具に関する。
【背景技術】
【０００２】
一般的に、例えば接着剤や両面接着テープなどを用いた接着により、壁面などの被固定面に鏡を固定する鏡の固定構造および鏡の固定具が存在する。しかし、鏡は、高温多湿な環境下に設置されることがある。また、例えば鏡の清掃時などにおいて、比較的強い力が鏡に加わることがある。そのため、被固定面に対して鏡をより安全あるいは確実に固定するためには、例えばネジなどの締結部材により被固定面に固定される固定具を用いて、鏡を支持し被固定面に固定することが望ましい。
【０００３】
特許文献１には、壁面に鏡を取り付けるための鏡止め具が開示されている。特許文献１に記載された鏡止め具は、壁面に取付け固定される固定部と、上下方向に可動して鏡を保持する爪部と、下方向に爪部を弾性的に保持するように保持力が働くバネ部と、を備え、バネの弾性力を利用して鏡を保持する。
【先行技術文献】
【特許文献】
【０００４】
【特許文献１】特開平９−８４６７４号公報
【発明の概要】
【発明が解決しようとする課題】
【０００５】
しかし、特許文献１に記載された鏡止め具は、爪部の爪掛部が鏡の上部に掛かるように設置される。すなわち、爪部の爪掛部は、鏡の表面の一部を覆う。そのため、鏡の意匠性の向上という点においては、改善の余地がある。また、爪掛部が鏡の表面の一部を覆うため、爪掛部に覆われた鏡の部分には例えば水垢などの汚れが溜まりやすく、清掃者は鏡の表面を拭きにくい。そのため、鏡の清掃性の向上という点においては、改善の余地がある。このように、鏡の固定構造および鏡の固定具に対しては、鏡の意匠性や清掃性の向上などといった鏡の付加価値の向上が望まれている。
【０００６】
そこで、鏡の固定具が鏡の表面には掛からない状態で鏡を固定する固定構造が、一策として考えられる。しかし、そのような鏡の固定構造において、比較的強い力や衝撃が鏡の表面に加わると、鏡が固定具から外れるおそれがある。このように、固定具が鏡の表面には掛からない状態で鏡を固定すると、鏡の固定性の確保という点において新たな課題が生ずる。
【０００７】
本発明は、前記課題を解決するためになされたものであり、鏡の付加価値を向上させることができるとともに鏡の固定性を確保することができる鏡の固定構造および鏡の固定具を提供することを目的とする。
【課題を解決するための手段】
【０００８】
前記課題は、本発明によれば、反射面が裏面の側に設けられた鏡を前記裏面に対向する被固定面に固定する鏡の固定構造であって、前記裏面と交差する側面に設けられた孔または溝を有する鏡と、前記裏面の反対側に形成された表面には掛からない状態で前記孔または前記溝に係止される固定具と、を備え、前記固定具は、前記孔または前記溝に係止される係止部と、前記側面から前記被固定面に向かって延びるとともに前記側面から前記鏡の中央に向かって傾斜し、弾性を有するとともに前記係止部を支持する支持部と、を有することを特徴とする鏡の固定構造により解決される。
【０００９】
前記構成によれば、固定具の係止部は、鏡の表面には掛からない状態で鏡の側面に設けられた孔または溝に係止されている。そのため、鏡の表面においてすっきりとした外観が得られ、鏡のデザインの自由度が高まる。そのため、鏡の意匠性を向上させることができる。また、例えば水垢などの汚れが鏡の表面に溜まることを抑えることができるとともに、清掃者は鏡の表面を拭きやすくなる。そのため、鏡の清掃性を向上させることができる。これにより、本発明による鏡の固定構造は、鏡の付加価値を向上させることができる。
【００１０】
さらに、固定具の支持部は、鏡の側面から被固定面に向かって延びるとともに、鏡の側面から鏡の中央に向かって傾斜している。そして、固定具の支持部は、弾性を有するとともに、係止部を支持する。そのため、比較的強い力や衝撃が鏡の表面に加わり、固定具の係止部が鏡の孔または溝から外れた場合であっても、固定具の支持部は、弾性力あるいは復元力により鏡を付勢して元の位置に押し戻し、係止部が鏡の孔または溝から外れた状態を元の状態（係止部が鏡の孔または溝に係止されていた状態）に戻す。これにより、本発明による鏡の固定構造は、鏡の固定性を確保することができる。
【００１１】
好ましくは、前記鏡が前記被固定面に固定された状態において、前記側面は、互いに対向する前記鏡の両側の端面であることを特徴とする。
【００１２】
前記構成によれば、鏡が被固定面に固定された状態において、固定具の係止部は、互いに対向する鏡の両側の端面（側面）に形成された孔または溝に係止される。そのため、固定具は、鏡の両側の端面を挟んだ状態で鏡の孔または溝に係止され、鏡を被固定面に固定する。これにより、本発明による鏡の固定構造は、鏡を確実に被固定面に固定することができる。
【００１３】
好ましくは、前記固定具は、前記支持部からみて前記中央の側に設けられ前記裏面から前記表面に向かって前記鏡を押圧する押圧部をさらに有することを特徴とする。
【００１４】
前記構成によれば、固定具は、裏面から表面に向かって鏡を押圧する押圧部をさらに有するため、比較的強い力や衝撃が鏡の表面に加わり、固定具の係止部が鏡の孔または溝から外れた場合に、押圧部を有していない場合よりも強い弾性力あるいは復元力で鏡を付勢し元の位置に押し戻すことができる。すなわち、鏡を元の位置に押し戻す弾性力あるいは復元力が、押圧部により増強される。これにより、固定具は、係止部が鏡の孔または溝から外れた状態を元の状態（係止部が鏡の孔または溝に係止されていた状態）に確実に戻すことができる。
【００１５】
好ましくは、前記押圧部の押圧力は、前記支持部の復元力よりも強いことを特徴とする。
【００１６】
前記構成よれば、押圧部の押圧力が支持部の復元力よりも強いため、比較的強い力や衝撃が鏡の表面に加わった場合であっても、押圧部は、係止部が鏡の孔または溝から外れることを抑えることができる。
【００１７】
前記課題は、本発明によれば、反射面が裏面の側に設けられた鏡を前記裏面に対向する被固定面に固定する鏡の固定具であって、前記裏面の反対側に形成された表面には掛からない状態で、前記裏面と交差する側面に設けられた孔または溝に係止される係止部と、前記側面から前記被固定面に向かって延びるとともに前記側面から前記鏡の中央に向かって傾斜し、弾性を有するとともに前記係止部を支持する支持部と、を備えたことを特徴とする鏡の固定具により解決される。
【００１８】
前記構成によれば、固定具の係止部は、鏡の表面には掛からない状態で鏡の側面に設けられた孔または溝に係止されている。そのため、鏡の表面においてすっきりとした外観が得られ、鏡のデザインの自由度が高まる。そのため、鏡の意匠性を向上させることができる。また、例えば水垢などの汚れが鏡の表面に溜まることを抑えることができるとともに、清掃者は鏡の表面を拭きやすくなる。そのため、鏡の清掃性を向上させることができる。これにより、本発明による鏡の固定具は、鏡の付加価値を向上させることができる。
【００１９】
さらに、固定具の支持部は、鏡の側面から被固定面に向かって延びるとともに、鏡の側面から鏡の中央に向かって傾斜している。そして、固定具の支持部は、弾性を有するとともに、係止部を支持する。そのため、比較的強い力や衝撃が鏡の表面に加わり、固定具の係止部が鏡の孔または溝から外れた場合であっても、固定具の支持部は、弾性力あるいは復元力により鏡を付勢して元の位置に押し戻し、係止部が鏡の孔または溝から外れた状態を元の状態（係止部が鏡の孔または溝に係止されていた状態）に戻す。これにより、本発明による鏡の固定具は、鏡の固定性を確保することができる。
【発明の効果】
【００２０】
本発明によれば、鏡の付加価値を向上させることができるとともに鏡の固定性を確保することができる鏡の固定構造および鏡の固定具を提供することができる。
【図面の簡単な説明】
【００２１】
【図１】本発明の実施形態に係る鏡の固定構造を表す斜視図である。
【図２】本実施形態に係る鏡の固定構造を表す正面図である。
【図３】図２に表した矢印Ａ１１の方向からみた鏡の側面図である。
【図４】本実施形態の変形例に係る鏡の固定構造を表す斜視図である。
【図５】本変形例に係る鏡の固定構造を表す正面図である。
【図６】図２に表した切断面Ａ１−Ａ１における断面図である。
【図７】図２に表した切断面Ａ１−Ａ１における断面図である。
【図８】本実施形態の固定具の第１変形例を説明する断面図である。
【図９】本実施形態の固定具の第１変形例を説明する断面図である。
【図１０】本変形例のガイド部を表す斜視図である。
【図１１】本実施形態の固定具の第２変形例を説明する断面図である。
【図１２】本実施形態の固定具の第３変形例を説明する断面図である。
【発明を実施するための形態】
【００２２】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００２３】
発明の基本態様
図１および図２に示される本発明による態様の一つは、固定具４によって鏡３を被固定部材９の被固定面９１に固定する鏡の固定構造２に関する。図４および図５に示される本発明による別の態様は、固定具４Ａによって鏡３を被固定部材９の被固定面９１に固定する鏡の固定構造２Ａに関する。
【００２４】
固定具４、４Ａの係止部４１、４１Ａは、鏡３の表面３６には掛からない状態で鏡３の側面３７、３８に設けられた孔または溝３７１、３８１に係止されている。そのため、鏡３の表面３６においてすっきりとした外観が得られ、鏡３のデザインの自由度が高まる。そのため、鏡３の意匠性を向上させることができる。また、例えば水垢などの汚れが鏡３の表面３６に溜まることを抑えることができるとともに、清掃者は鏡３の表面３６を拭きやすくなる。そのため、鏡３の清掃性を向上させることができる。このように、本発明による鏡の固定構造２、２Ａは、鏡３の付加価値を向上させることができるとの優れた利点を有するものである。
【００２５】
さらに、固定具４、４Ａの支持部４２、４２Ａは、鏡３の側面３７、３８から被固定面９１に向かって延びるとともに、鏡３の側面３７、３８から鏡３の中央３９に向かって傾斜している。そして、固定具４、４Ａの支持部４２、４２Ａは、弾性を有するとともに、係止部４１、４１Ａを支持する。そのため、比較的強い力や衝撃が鏡３の表面３６に加わり、固定具４、４Ａの係止部４１、４１Ａが鏡３の孔または溝３７１、３８１から外れた場合であっても、固定具４、４Ａの支持部４２、４２Ａは、弾性力あるいは復元力により鏡３を付勢して元の位置に押し戻し、係止部４１、４１Ａが鏡３の孔または溝３７１、３８１から外れた状態を元の状態（係止部４１、４１Ａが鏡３の孔または溝３７１、３８１に係止されていた状態）に戻す。このように、本発明による鏡の固定構造２、２Ａは、鏡３の固定性を確保することができるとの優れた利点を有するものである。
以下、定義の述べた後、本発明による鏡の固定構造のさらに詳細を説明する。
【００２６】
定義
鏡
本発明による鏡の固定構造によって固定される鏡は、反射面が鏡の裏面の側に設けられたいわゆる「裏面鏡」であり、例えば浴室や脱衣室や洗面化粧室などの高温多湿な環境下に設置されることがある。鏡の具体的な構造については、図面を参照しながら後述する。
【００２７】
孔または溝
本発明による鏡の固定構造によって固定される鏡は、鏡の側面に設けられた孔または溝を有する。孔または溝は、好適には、非貫通の孔または溝である。非貫通とは、一方の端部から他方の端部に向かって掘り下げられて孔または溝が形成されるが、他方の端部にまで至らない状態を意味する。
【００２８】
本発明において、鏡が有する非貫通の溝とは、凹条を意味する。なお、非貫通の溝は、非貫通の孔であってもよい。非貫通の孔の形状は、特には限定されず、例えば、円形、楕円、三角形、四角形、多角形様であってよい。このように、本発明において、溝と孔とは、明確に区別される必要はなく、例えば四角形の非貫通の孔が横長に形成されて溝と解されるような形状であってもよい。本願明細書において、固定具の係止部が挿入かつ係止可能である限りにおいて、孔または溝と呼ぶ。また、溝は、溝が設けられた側面と交差する一方の側面から、その一方の側面に対向する他方の側面まで延びていてもよく、溝が設けられた側面と交差する両側面まで延びていなくともよい。例えば、鏡の幅（一方の側面と他方の側面との間の距離）よりも短い複数の溝が、鏡の幅方向において互いに独立して存在していてもよい。
【００２９】
孔または溝が延びた方向に沿ってみたときの孔または溝の形状は、三角形（Ｖ溝形状）、四角形（矩形状）、半円形（Ｕ溝形状）であってもよく、孔または溝の入り口、すなわち孔または溝の開口部の開口面積よりも開口部の奥における開口面積が大とされた、アリ穴、つまり逆ハの字の形状であってもよい。また、孔または溝が延びた方向に沿ってみたときの孔または溝の形状は、開口部より深さ方向に一定の距離の間、開口面積が変化せず、さらに深い位置では開口面積を入り口の開口面積より大とされた形状であってもよい。
【００３０】
被固定部材および被固定面
本発明による鏡の固定構造において、鏡が固定される部材あるいは構造物を「被固定部材」という。被固定部材としては、例えば浴室や脱衣室や洗面化粧室などの壁が挙げられる。ただし、被固定部材は、浴室、脱衣室および洗面化粧室の壁だけには限定されない。また、本発明による鏡の固定構造において、鏡が固定される被固定部材の表面を「被固定面」という。被固定面としては、例えば浴室や脱衣室や洗面化粧室など壁の表面であって、鏡の利用者が存在する側の壁の表面（内壁面）が挙げられる。ただし、被固定面は、浴室、脱衣室および洗面化粧室の内壁面だけには限定されない。
【００３１】
本発明による鏡の固定構造
以下、本発明による鏡の固定構造について、図面を参照しながら説明する。
図１は、本発明の実施形態に係る鏡の固定構造を表す斜視図である。
図２は、本実施形態に係る鏡の固定構造を表す正面図である。
図３は、図２に表した矢印Ａ１１の方向からみた鏡の側面図である。
【００３２】
本実施形態に係る鏡の固定構造２は、鏡３と、固定具４と、を備える。本実施形態に係る鏡の固定構造２では、２つの固定具４が用いられている。具体的には、鏡３の側面３７の溝３７１に係止された固定具４と、鏡３の側面３８の溝３８１に係止された固定具４と、が用いられている。ただし、固定具４の設置数は、２つには限定されない。
【００３３】
鏡３は、反射面が鏡３の裏面の側に設けられたいわゆる「裏面鏡」である。すなわち、図３に表したように、鏡３は、ガラス３１と、銀（Ａｇ）を含む銀層３２と、銅（Ｃｕ）を含む銅層３３と、バックコート層３４と、を有する。ガラス３１と、銀層３２と、銅層３３と、バックコート層３４と、は、鏡３の表面３６から鏡３の裏面３５に向かってこの順に配置されている。なお、後述するように、バックコート層３４の裏面側には、オーバーコート層がさらに設けられていてもよい。
【００３４】
本願明細書において「鏡の表面」とは、鏡３が被固定部材９（図６参照）の被固定面９１（図６参照）に固定された状態において鏡３の前に存在する利用者に対向する面をいう。言い換えれば、「鏡の表面」とは、鏡３を利用する利用者が鏡３を眺めたり覗いたりする側の面をいう。本願明細書において「鏡の裏面」とは、鏡３の表面３６とは反対側の面であって、鏡３が被固定面９１に固定された状態において被固定面９１に対向する面をいう。
【００３５】
表面３６から裏面３５に向かう方向のガラス３１の寸法（厚さ）Ｌ１は、例えば約５ｍｍ程度である。表面３６から裏面３５に向かう方向の銀層３２の寸法（厚さ）Ｌ２は、例えば約８０ｎｍ程度である。表面３６から裏面３５に向かう方向の銅層３３の寸法（厚さ）Ｌ３は、例えば約４０ｎｍ程度である。表面３６から裏面３５に向かう方向のバックコート層３４の寸法（厚さ）Ｌ４は、例えば約５０μｍ程度である。
【００３６】
図３に表したように、鏡３の反射面３１１は、銀層３２の面のうちで鏡３の表面３６の側に配置された面であり、ガラス３１に接触している。図３に表した矢印Ａ１２および矢印Ａ１３のように、鏡３の表面３６からガラス３１の内部に入射した光の一部は、反射面３１１において反射し、ガラス３１の内部を進行して鏡３の表面３６から放出される。
【００３７】
銅層３３は、銀層３２を保護する機能を有し、銀層３２が例えば塩化物や硫化物などと反応して腐食することを抑える。すなわち、銅層３３は、犠牲防蝕効果を発揮する。また、バックコート層３４は、銅層３３の防蝕効果よりも高い防蝕効果を有する塗料を含み、銀層３２の腐食をより一層抑える。なお、本実施形態の鏡３の構造は、図３に表した例には限定されず、例えば、防蝕効果を有する塗料を含むオーバーコート層がバックコート層３４の裏面の側にさらに積層された構造であってもよい。
【００３８】
図１および図２に表したように、鏡３は、裏面３５および表面３６と交差する側面３７に設けられた溝３７１と、裏面３５および表面３６と交差する側面３８に設けられた溝３８１と、を有する。側面３７、３８は、例えば「木口」や「こば」など呼ばれる部分であり、鏡３の主面（表面３６および裏面３５）の側方に形成された面である。本実施形態の側面３７、３８は、本発明の「裏面と交差する側面」に相当する。本実施形態においては、鏡３が被固定面９１に固定された状態において、側面３７は鏡３の上側の端面（上端面）に相当し、側面３８は鏡３の下側の端面（下端面）に相当する。すなわち、本発明の「側面」は、裏面３５と交差する側面のうち互いに対向する両側の側面であり、鏡３の上側の端面（上端面：側面３７）と、鏡３の下側の端面（下端面：側面３８）と、を含む。溝３７１、３８１は、表面３６、裏面３５および側面３７、３８と交差する一方の側面３９１から、側面３９１に対向する他方の側面３９２まで延びている。
【００３９】
固定具４は、材料は問わないが、例えば金属の板状部材のプレス加工に形成された金具であり、係止部４１と、支持部４２と、固定部４３と、を有する。図６および図７に関して後述するように、固定具４は、押圧部４４を有していてもよい。係止部４１は、鏡３の側面３７、３８に形成された溝３７１、３８１に係止されている。支持部４２は、側面３７、３８から被固定面９１に向かって延びるとともに、側面３７、３８から鏡３の中央３９に向かって傾斜している。また、支持部４２は、弾性を有するとともに、係止部４１を支持する。固定部４３は、鏡３の裏面３５と、被固定面９１と、の間に配置され、例えばねじなどの締結部材５により被固定面９１に固定される。支持部４２は、係止部４１と固定部４３との間に設けられるとともに、係止部４１と固定部４３とに接続されている。すなわち、係止部４１は、支持部４２を介して固定部４３に接続されている。固定具４の詳細ついては、後述する。
【００４０】
図４は、本実施形態の変形例に係る鏡の固定構造を表す斜視図である。
図５は、本変形例に係る鏡の固定構造を表す正面図である。
なお、本変形例に係る鏡の固定構造２Ａの構成要素が、図１および図２に関して前述した本実施形態に係る鏡の固定構造２の構成要素と同様である場合には、重複する説明は適宜省略し、以下、相違点を中心に説明する。
【００４１】
本変形例に係る鏡の固定構造２Ａは、鏡３と、固定具４Ａと、を備える。本変形例に係る鏡の固定構造２Ａでは、４つの固定具４Ａが用いられている。具体的には、側面３７の溝３７１の両側に係止された２つの固定具４Ａと、側面３８の溝３８１の両側に係止された２つの固定具４Ａと、が用いられている。ただし、固定具４Ａの設置数は、４つには限定されない。
【００４２】
固定具４Ａは、材料は問わないが、例えば金属の板状部材のプレス加工に形成された金具であり、係止部４１Ａと、支持部４２Ａと、固定部４３Ａと、を有する。係止部４１Ａは、鏡３の側面３７、３８に形成された溝３７１、３８１に係止されている。支持部４２Ａは、側面３７、３８から被固定面９１に向かって延びるとともに、側面３７、３８から鏡３の中央３９に向かって傾斜している。また、支持部４２Ａは、弾性を有するとともに、係止部４１Ａを支持する。固定部４３Ａは、鏡３の裏面３５と、被固定面９１と、の間に配置され、例えばねじなどの締結部材５により被固定面９１に固定される。支持部４２Ａは、係止部４１Ａと固定部４３Ａとの間に設けられるとともに、係止部４１Ａと固定部４３Ａとに接続されている。すなわち、係止部４１Ａは、支持部４２を介して固定部４３に接続されている。本変形例に係る鏡の固定構造２Ａのように、固定具４Ａの係止部４１Ａは、一方の側面３９１から他方の側面３９２まで延びて形成されいなくともよく、溝３７１、３８１の全体にわたって配置されていなくともよい。すなわち、固定具４Ａの係止部４１Ａは、溝３７１、３８１の全体にわたって係止されていなくともよい。また、本変形例に係る鏡の固定構造２Ａでは、溝３７１、３８１は、係止部４１Ａを係止可能な限りにおいて、必ずしも一方の側面３９１から他方の側面３９２まで延びて形成されていなくともよい。すなわち、複数の固定具４Ａのそれぞれが係止される溝が、一方の側面３９１から他方の側面３９２へ向かう方向において互いに独立して（例えば互いに左右に離れて）設けられていてもよい。なお、図１３に表した鏡３は、第１実施形態に係る鏡の固定構造２に関して前述した鏡と同様である。
【００４３】
図１および図２に関して前述した鏡の固定構造２と、図４および図５に関して前述した鏡の固定構造２Ａと、の間において、固定具４、４Ａの数が互いに異なる一方で、固定具４の係止部４１が溝３７１、３８１に係止された形態は、固定具４Ａの係止部４１Ａが溝３７１、３８１に係止された形態と同様である。すなわち、固定具４、４Ａの数が互いに異なる一方で、溝３７１、３８１に係止された固定具４による鏡の固定構造２は、溝３７１、３８１に係止された固定具４Ａによる鏡の固定構造２Ａと同様である。そこで、以下の説明では、固定具４による鏡の固定構造２を主として例に挙げる。
【００４４】
図６および図７は、図２に表した切断面Ａ１−Ａ１における断面図である。
なお、図６は、係止部４１が鏡３の溝３７１、３８１に係止されている状態（元の状態）を表している。図７は、外力が鏡３に加わり、係止部４１が鏡３の溝３７１、３８１から外れた状態を表している。なお、図６および図７は、図５に表した切断面Ａ２−Ａ２における断面図にも相当する。
【００４５】
図６および図７に表したように、鏡３の上端面に配置された固定具４の係止部４１は、鏡３の表面３６には掛からない状態で溝３７１に係止されている。すなわち、固定具４は、鏡３の表面３６のいずれの部分も覆っていない。そして、固定具４の固定部４３は、例えばねじなどの締結部材５により被固定部材９の被固定面９１に固定される。これと同様にして、鏡３の下端面に配置された固定具４の係止部４１は、鏡３の表面３６には掛からない状態で溝３８１に係止されている。そして、固定具４の固定部４３は、例えばねじなどの締結部材５により被固定部材９の被固定面９１に固定される。このように、本実施形態に係る鏡の固定構造２によれば、鏡３は、係止部４１が鏡３の側面３７、３８の溝３７１、３８１に係止された固定具４により、被固定面９１に固定される。
【００４６】
ここで、鏡の表面の一部を覆う止め具により、鏡が被固定面に固定された場合には、鏡の意匠性が損なわれることがある。また、止め具により覆われた鏡の部分には、例えば水垢などの汚れが溜まりやすく、清掃者は鏡の表面を拭きにくい。そのため、鏡の清掃性が損なわれることがある。そこで、止め具が鏡の表面には掛からない状態で鏡を固定する固定構造が、一策として考えられる。しかし、そのような鏡の固定構造において、比較的強い力や衝撃が鏡の表面に加わると、鏡が止め具から外れるおそれがある。
【００４７】
これに対して、図６および図７に表したように、本実施形態に係る鏡の固定構造２の固定具４は、係止部４１と、支持部４２と、固定部４３と、押圧部４４と、を有する。支持部４２は、側面３７、３８から被固定面９１に向かって延びるとともに、側面３７、３８から鏡３の中央３９（図２参照）に向かって傾斜している。そして、支持部４２は、弾性を有するとともに、係止部４１を支持する。押圧部４４は、支持部４２からみて鏡３の中央３９の側において固定部４３に接続され、鏡３の裏面３５に向かって延びている。押圧部４４は、ばね構造を有するとともに弾性を有し、鏡３の裏面３５から鏡３の表面３６に向かって鏡３を押圧する。押圧部４４の押圧力は、支持部４２の復元力あるいは弾性力よりも強い。なお、固定具４は、押圧部４４を必ずしも有していなくともよい。
【００４８】
図７に表した矢印Ａ２１のように、比較的強い力や衝撃が鏡３の表面３６に加わると、図７に表した矢印Ａ２２のように、鏡３が被固定面９１に向かって移動するとともに、支持部４２が移動し変形する。そうすると、図７に表した矢印Ａ２６および矢印Ａ２８のように、固定具４の係止部４１が鏡３の溝３７１、３８１から外れることがある。なお、図７に表した二点鎖線の鏡３および支持部４２は、比較的強い力や衝撃が鏡３の表面３６に加わる前の状態（元の状態）、すなわち鏡３および支持部４２が移動したり変形したりする前の状態を表している。
【００４９】
これに対して、本実施形態の固定具４の支持部４２は、側面３７、３８から鏡３の中央３９（図２参照）に向かって傾斜し弾性を有するため、図７に表した矢印Ａ２３、矢印Ａ２７および矢印Ａ２９のように、弾性力あるいは復元力により鏡３を付勢し元の位置に押し戻す。そして、支持部４２は、係止部４１が鏡３の溝３７１、３８１から外れた状態を元の状態（係止部４１が鏡３の溝３７１、３８１に係止されていた状態）に戻す。これにより、本実施形態に係る鏡の固定構造２は、鏡３の固定性を確保することができる。
【００５０】
本願明細書において、「鏡の固定性」とは、鏡が元の位置から移動したり元の状態から変化したりすることを抑える性質や性能をいう。あるいは、「鏡の固定性」とは、鏡が元の位置から移動したり元の状態から変化したりした場合であっても、鏡を元の位置や元の状態に戻す性質や性能をいう。
【００５１】
また、鏡３の上端面に配置された固定具４の係止部４１は、鏡３の表面３６には掛からない状態で溝３７１に係止されている。また、鏡３の下端面に配置された固定具４の係止部４１は、鏡３の表面３６には掛からない状態で溝３８１に係止されている。そのため、鏡３の表面３６においてすっきりとした外観が得られ、鏡３のデザインの自由度が高まる。そのため、鏡３の意匠性を向上させることができる。また、例えば水垢などの汚れが鏡３の表面３６に溜まることを抑えることができるとともに、清掃者は鏡３の表面３６を拭きやすくなる。そのため、鏡３の清掃性を向上させることができる。これにより、本実施形態に係る鏡の固定構造２は、鏡の付加価値を向上させることができる。
【００５２】
また、鏡３が被固定面９１に固定された状態において、固定具４の係止部４１は、互いに対向する鏡３の両側の端面（側面３７、３８）に形成された溝３７１、３８１に係止される。すなわち、鏡３は、互いに対向する両側の側面３７、３８の溝３７１、３８１に係止された固定具４により、被固定面９１に固定される。そのため、固定具４は、鏡３の両側の端面（側面３７、３８）を挟んだ状態で鏡３の溝３７１、３８１に係止され、鏡３を被固定面９１に固定する。これにより、本実施形態に係る鏡の固定構造２は、鏡３を確実に被固定面９１に固定することができる。
【００５３】
前述したように、比較的強い力や衝撃が鏡３の表面３６に加わると、図７に表した矢印Ａ２２のように、鏡３が被固定面９１に向かって移動する。そうすると、図７に表した矢印Ａ２４のように、固定具４の押圧部４４は、圧縮される。そうすると、図７に表した矢印Ａ２５のように、押圧部４４は、ばね構造を有するとともに弾性を有するため、鏡３の裏面３５から鏡３の表面３６に向かって鏡３を押圧し、弾性力あるいは復元力により鏡３を付勢して元の位置に押し戻す。このように、固定具４は、押圧部４４を有していない場合よりも強い弾性力あるいは復元力で鏡３を付勢し元の位置に押し戻すことができる。すなわち、鏡３を元の位置に押し戻す弾性力あるいは復元力が、押圧部４４により増強される。これにより、固定具４は、係止部４１が鏡３の溝３７１、３８１から外れた状態を元の状態に確実に戻すことができる。
【００５４】
また、押圧部４４の押圧力が支持部４２の復元力よりも強いため、比較的強い力や衝撃が鏡３の表面３６に加わった場合であっても、押圧部４４は、係止部４１が鏡３の溝３７１、３８１から外れることを抑えることができる。
【００５５】
さらに、図６に表したように、鏡３は、表面３６と側面３７とが交差する角部に設けられた面取り部３７２と、表面３６と側面３８とが交差する角部に設けられた面取り部３８２と、を有していてもよい。面取り部３７２、３８２は、平面や曲面を有しており、複数の曲面が並んだ波面を有していてもよい。すなわち、図６および図７に表した切断面（溝３７１、３８１が延びた方向に対して交差する切断面）において、面取り部３７２、３８２は、直線状や曲線状を呈しており、複数の曲線が並んだ波線を呈していてもよい。この場合には、光が面取り部３７２において屈折したり反射したりする。あるいは、面取り部３７２、３８２が波面を有する場合には、面取り部３７２、３８２において乱反射の効果が得られる。そのため、鏡３の側面３７に溝３７１が設けられ、固定具４の係止部４１が鏡３の溝３７１に係止されていても、溝３７１および係止部４１は、鏡３の表面３６の側から見えにくい。また、光が面取り部３８２において屈折したり反射したりする。そのため、鏡３の側面３８に溝３８１が設けられ、固定具４の係止部４１が鏡３の溝３８１に係止されていても、溝３８１および係止部４１は、鏡３の表面３６の側から見えにくい。これにより、鏡３の意匠性をより一層向上させることができる。
【００５６】
次に、本実施形態の固定具の変形例を、図面を参照して説明する。
なお、以下の変形例の固定具４Ｂ、４Ｃ、４Ｄの構成要素が、図１〜図７に関して前述した固定具４、４Ａの構成要素と同様である場合には、重複する説明は適宜省略し、以下、相違点を中心に説明する。
【００５７】
図８および図９は、本実施形態の固定具の第１変形例を説明する断面図である。
図１０は、本変形例のガイド部を表す斜視図である。
なお、図８および図９は、図２に表した切断面Ａ１−Ａ１における断面図に相当する。図８は、係止部４１Ｂが鏡３の溝３７１、３８１に係止されている状態（元の状態）を表している。図９は、外力が鏡３に加わり、係止部４１Ｂが鏡３の溝３７１、３８１から外れた状態を表している。図１０では、説明の便宜上、固定具４Ｂの押圧部４４Ｂを省略している。
【００５８】
図８および図９に表した鏡の固定構造２Ｂは、鏡３と、固定具４Ｂと、ガイド部６と、を備える。本変形例の固定具４Ｂは、係止部４１Ｂと、支持部４２Ｂと、固定部４３Ｂと、押圧部４４Ｂと、ガイド棒４５Ｂと、を有する。支持部４２Ｂは、側面３７、３８から被固定面９１に向かって延びるとともに、側面３７、３８から鏡３の中央３９（図２参照）に向かって傾斜している。そして、支持部４２Ｂは、弾性を有するとともに、係止部４１Ｂを支持する。押圧部４４Ｂは、支持部４２Ｂからみて鏡３の中央３９の側において固定部４３Ｂに接続され、鏡３の裏面３５に向かって延びている。押圧部４４Ｂは、いわゆる「板ばね」の構造を有するとともに弾性を有し、鏡３の裏面３５から鏡３の表面３６に向かって鏡３を押圧する。押圧部４４Ｂの押圧力は、支持部４２Ｂの復元力あるいは弾性力よりも強い。なお、固定具４Ｂは、押圧部４４Ｂを必ずしも有していなくともよい。ガイド棒４５Ｂは、押圧部４４Ｂの先端部に保持され、鏡３の幅方向（一方の側面３９１から他方の側面３９２に向かう方向）に延びている。ここでいう「保持」という範囲には、ガイド棒４５Ｂが押圧部４４Ｂの先端部に固定された態様だけではなく、ガイド棒４５Ｂが押圧部４４Ｂの先端部においてガイド棒４５Ｂの軸を中心として回転可能に支持された態様や、ガイド棒４５Ｂが押圧部４４Ｂの先端部から脱落しない程度の裕度をもった状態で押圧部４４Ｂの先端部に保持された態様が含まれるものとする。
【００５９】
ガイド部６は、第１ガイド部材６１と、接続部材６２と、第２ガイド部材６３と、を有する。第１ガイド部材６１は、例えば平板状を呈し、第２ガイド部材６３とは離れた状態で鏡３の裏面３５に固定されている。第２ガイド部材６３は、第１ガイド部材６１からみて鏡３の裏面３５とは反対側において第１ガイド部材６１とは離れた位置に設けられる。すなわち、第１ガイド部材６１と第２ガイド部材６３との間には、空間６４が形成されている。接続部材６２は、第１ガイド部材６１と第２ガイド部材６３とに接続されている。すなわち、第１ガイド部材６１は、接続部材６２を介して第２ガイド部材６３に接続されている。
【００６０】
押圧部４４Ｂの先端部に保持されたガイド棒４５Ｂは、ガイド部６の空間６４に配置され、空間６４内において図８および図１０に表した矢印Ａ４１の方向に移動することができる。具体的には、例えば、押圧部４４Ｂの先端部は、第２ガイド部材６３に形成されたスリット部６５（図１０参照）を通してガイド部６の空間６４に配置され、ガイド棒４５Ｂの中央部を保持している。あるいは、押圧部４４Ｂの先端部は、ガイド部６の両外側に配置され、ガイド部６の両側に向かって延びたガイド棒４５Ｂの両端部４５１Ｂ、４５２Ｂ（図１０参照）を保持していてもよい。そして、押圧部４４Ｂの先端部と、ガイド棒４５Ｂと、は、ガイド部６の空間６４内において図８および図１０に表した矢印Ａ４１の方向に移動することができる。
【００６１】
図９に表した矢印Ａ３１のように、比較的強い力や衝撃が鏡３の表面３６に加わると、図９に表した矢印Ａ３２のように、鏡３が被固定面９１に向かって移動するとともに、支持部４２Ｂが移動し変形する。そうすると、図９に表した矢印Ａ３６および矢印Ａ３８のように、固定具４Ｂの係止部４１Ｂが鏡３の溝３７１、３８１から外れることがある。なお、図９に表した二点鎖線の鏡３および支持部４２Ｂは、比較的強い力や衝撃が鏡３の表面３６に加わる前の状態（元の状態）、すなわち鏡３および支持部４２Ｂが移動したり変形したりする前の状態を表している。
【００６２】
これに対して、本変形例の固定具４Ｂの支持部４２Ｂは、側面３７、３８から鏡３の中央３９（図２参照）に向かって傾斜し弾性を有するため、図９に表した矢印Ａ３３、矢印Ａ３７および矢印Ａ３９のように、弾性力あるいは復元力により鏡３を付勢し元の位置に押し戻す。そして、支持部４２Ｂは、係止部４１Ｂが鏡３の溝３７１、３８１から外れた状態を元の状態（係止部４１Ｂが鏡３の溝３７１、３８１に係止されていた状態）に戻す。これにより、図８および図９に表した鏡の固定構造２Ｂは、鏡３の固定性を確保することができる。
【００６３】
また、前述したように、比較的強い力や衝撃が鏡３の表面３６に加わると、図９に表した矢印Ａ３２のように、鏡３が被固定面９１に向かって移動する。そうすると、図９に表した矢印Ａ３４のように、固定具４Ｂの押圧部４４Ｂは、移動し変形する。また、図９に表した矢印Ａ４２および矢印Ａ４３のように、ガイド棒４５Ｂは、ガイド部６の空間６４内において鏡３の中央３９（図２参照）に向かって移動し、ガイド部６により案内される。なお、図９に表した二点鎖線の押圧部４４Ｂは、比較的強い力や衝撃が鏡３の表面３６に加わる前の状態（元の状態）、すなわち押圧部４４Ｂが移動したり変形したりする前の状態を表している。
【００６４】
そうすると、図９に表した矢印Ａ３５のように、押圧部４４Ｂは、いわゆる「板ばね」の構造を有するとともに弾性を有するため、鏡３の裏面３５から鏡３の表面３６に向かって鏡３を押圧し、弾性力あるいは復元力により鏡３を付勢して元の位置に押し戻す。このように、本変形例の固定具４Ｂは、押圧部４４Ｂを有していない場合よりも強い弾性力あるいは復元力で鏡３を付勢し元の位置に押し戻すことができる。すなわち、鏡３を元の位置に押し戻す弾性力あるいは復元力が、押圧部４４Ｂにより増強される。これにより、本変形例の固定具４Ｂは、係止部４１Ｂが鏡３の溝３７１、３８１から外れた状態を元の状態に確実に戻すことができる。また、ガイド棒４５Ｂがガイド部６の空間６４内において移動しガイド部６により案内されるため、押圧部４４Ｂは、安定的に移動および変形し、鏡３を安定的に付勢して元の位置に押し戻すことができる。また、図６および図７に関して前述した効果と同様の効果が得られる。
【００６５】
図１１は、本実施形態の固定具の第２変形例を説明する断面図である。
なお、図１１は、図２に表した切断面Ａ１−Ａ１における断面図に相当する。
本変形例の固定具４Ｃは、係止部４１Ｃを有する。係止部４１Ｃは、第１係止部４１１と、第２係止部４１２と、を有する。図１１に表したように、鏡３Ａの側面３７に形成された溝３７１Ａが延びた方向に沿ってみたときに、第１係止部４１１は、鏡３Ａの中央３９（図２参照）に向かって突出した湾曲形状を有する。第２係止部４１２は、湾曲形状を有する第１係止部４１１に接続され、第１係止部４１１から鏡３Ａの中央３９に向かって延びている。その他の構造は、図１〜図９に関して前述した固定具４、４Ａ、４Ｂの構造と同様である。
【００６６】
鏡３Ａの側面３７には、溝３７１Ａが設けられている。溝３７１Ａは、第１係止部４１１が嵌まる第１溝部３７６と、第２係止部４１２が嵌まる第２溝部３７７と、を有する。すなわち、溝３７１Ａが延びた方向に沿ってみたときに、第１溝部３７６は、鏡３Ａの中央３９に向かって突出した湾曲形状を有する。また、第２溝部３７７は、湾曲形状を有する第１溝部３７６に接続され、第１溝部３７６から鏡３Ａの中央３９に向かって延びている。第１係止部４１１が第１溝部３７６に嵌まり、第２係止部４１２が第２溝部３７７に嵌まることにより、本変形例の固定具４Ｃの係止部４１Ｃは、鏡３Ａの溝３７１Ａに嵌まるとともに係止される。
【００６７】
本変形例の固定具４Ｃによれば、係止部４１Ｃが湾曲形状の第１係止部４１１を有するため、図１〜図９に関して前述した係止部４１、４１Ａ、４１Ｂと比較して、係止部４１Ｃと溝３７１Ａとの接触面積が増加する。これにより、溝３７１Ａに対する係止部４１Ｃの嵌まりやすさや押さえやすさを確保しつつ、鏡３Ａが割れたり欠けたりすることを抑えることができる。また、係止部４１Ｃが第２係止部４１２を有するため、係止部４１Ｃによる鏡３Ａの保持力や固定力を確保することができる。
【００６８】
図１２は、本実施形態の固定具の第３変形例を説明する断面図である。
なお、図１２は、図２に表した切断面Ａ１−Ａ１における断面図に相当する。
本変形例の固定具４Ｄは、係止部４１Ｄを有する。図１２に表したように、鏡３Ｂの側面３７に形成された溝３７１Ｂが延びた方向に沿ってみたときに、係止部４１Ｄは、鏡３Ｂの中央３９（図２参照）に向かって突出した湾曲形状を有する。すなわち、本変形例の係止部４１Ｄは、図１１に関して前述した係止部４１Ｃの第１係止部４１１と同様の形状を有する。その他の構造は、図１〜図９に関して前述した固定具４、４Ａ、４Ｂの構造と同様である。
【００６９】
鏡３Ｂの側面３７には、溝３７１Ｂが設けられている。溝３７１Ｂは、係止部４１Ｄが嵌まる形状を有する。すなわち、溝３７１Ｂが延びた方向に沿ってみたときに、溝３７１Ｂは、鏡３Ｂの中央３９に向かって突出した湾曲形状を有する。本変形例の固定具４Ｄの係止部４１Ｄは、鏡３Ｂの溝３７１Ｂに嵌まるとともに係止される。
【００７０】
本変形例の固定具４Ｄによれば、係止部４１Ｄが湾曲形状を有するため、図１〜図９に関して前述した係止部４１、４１Ａ、４１Ｂと比較して、係止部４１Ｄと溝３７１Ｂとの接触面積が増加する。これにより、溝３７１Ｂに対する係止部４１Ｄの嵌まりやすさや押さえやすさを確保しつつ、鏡３Ｂが割れたり欠けたりすることを抑えることができる。
【００７１】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【符号の説明】
【００７２】
２、２Ａ、２Ｂ・・・固定構造、  ３、３Ａ、３Ｂ・・・鏡、  ４、４Ａ、４Ｂ、４Ｃ、４Ｄ・・・固定具、  ５・・・締結部材、  ６・・・ガイド部、  ９・・・被固定部材、  ３１・・・ガラス、  ３２・・・銀層、  ３３・・・銅層、  ３４・・・バックコート層、  ３５・・・裏面、  ３６・・・表面、  ３７、３８・・・側面、  ３９・・・中央、  ４１、４１Ａ、４１Ｂ、４１Ｃ、４１Ｄ・・・係止部、  ４２、４２Ａ、４２Ｂ・・・支持部、  ４３、４３Ａ、４３Ｂ・・・固定部、  ４４、４４Ｂ・・・押圧部、  ４５Ｂ・・・ガイド棒、  ６１・・・第１ガイド部材、  ６２・・・接続部材、  ６３・・・第２ガイド部材、  ６４・・・空間、  ６５・・・スリット部、  ９１・・・被固定面、  ３１１・・・反射面、  ３７１、３７１Ａ、３７１Ｂ・・・溝、  ３７２・・・面取り部、  ３７６・・・第１溝部、  ３７７・・・第２溝部、  ３８１・・・溝、  ３８２・・・面取り部、  ３９１、３９２・・・側面、  ４１１・・・第１係止部、  ４１２・・・第２係止部、  ４５１Ｂ、４５２Ｂ・・・端部
【図１】
2019122501.tif 000003
【図２】
2019122501.tif 000004
【図３】
2019122501.tif 000005
【図４】
2019122501.tif 000006
【図５】
2019122501.tif 000007
【図６】
2019122501.tif 000008
【図７】
2019122501.tif 000009
【図８】
2019122501.tif 000010
【図９】
2019122501.tif 000011
【図１０】
2019122501.tif 000012
【図１１】
2019122501.tif 000013
【図１２】
2019122501.tif 000014